(57)【要約】  【課題】  少なくとも、展開姿勢を採った際における収容された小物の閲覧性に優れた小物入れを提供する。  【解決手段】  小物入れを、載置状態で底面を構成する底面部及びこの底面部を上方に開放する開口部を有する収納本体と、この収納本体の底面部又はその近傍に接続部を介して接続され前記開口部を覆う閉止姿勢から前記開口部を開放する展開姿勢までの間で回転可能な蓋体とを備え前記蓋体が、前記展開姿勢において前記底面部の内面に滑らかに連続し前記閉止姿勢において前記底面部に対面する天井面部を備え、この天井面部が外方に膨出する膨出形状をなすものであり、前記蓋体の天井面部の内面が、入り隅を有しない形状をなしているものとした。【選択図】図１
2018148970.tif 000002
【特許請求の範囲】
【請求項１】
載置状態で底面を構成する底面部及びこの底面部を上方に開放する開口部を有する収納本体と、この収納本体の底面部又はその近傍に接続部を介して接続され前記開口部を覆う閉止姿勢から前記開口部を開放する展開姿勢までの間で回転可能な蓋体とを備え、
前記蓋体が、前記展開姿勢において前記底面部の内面に滑らかに連続し前記閉止姿勢において前記底面部に対面する天井面部を備え、この天井面部が外方に膨出する膨出形状をなすものであり、
前記蓋体の天井面部の内面が、入り隅を有しない形状をなしている小物入れ。
【請求項２】
前記展開姿勢において前記蓋体が立するものであり、且つ、前記蓋体が展開姿勢を採るときに前記収納本体の内面及び前記蓋体の内面とによって略連続したトレー面が構成されている請求項１記載の小物入れ。
【請求項３】
前記蓋体が閉止姿勢を採るときに、側面視における全体の上下寸法が、接続部側に向かって漸次短くなる形態をなしている請求項１又は２記載の小物入れ。
【請求項４】
前記収納本体の底面部が、略平板形状をなすものである請求項３記載の小物入れ。
【請求項５】
前記収納本体が、基端縁に前記接続部を介して前記蓋体が接続されている前記底面部と、この底面部の先端縁に立設された先端面部と、この先端面部の両端に連続させて前記底面部の両側縁にそれぞれ立設された本体側面部とを備えたものであり、前記本体側面部が接続部側に向かって上下寸法が漸次短くなる形状をなしている請求項３又は４記載の小物入れ。
【請求項６】
前記底面部における前記先端縁の寸法が、前記底面部における前記基端縁の寸法よりも長く設定されているとともに、前記本体側面部が外方に膨出する形状をなしている請求項５記載の小物入れ。
【請求項７】
前記蓋体が、基端縁に前記接続部が設けられ内部に先端縁側に開放された収納ポケットを備えてなる前記天井面部と、この天井面部の両側縁にそれぞれ垂設された蓋体側面部とを備えたものであり、
前記閉止姿勢において、前記天井面部の先端縁を前記収納本体の先端面部の上縁にファスナーを介して止着できるように構成されている請求項５又は６記載の小物入れ。
【発明の詳細な説明】
【技術分野】
【０００１】
本発明は、筆記具や文房具等の小物を収容し得る小物入れに関する。
【背景技術】
【０００２】
従来、この種の小物入れとしては、使用時に展開した姿勢を採り得る蓋体を備えたものが存在する（例えば、特許文献１を参照）。
【０００３】
従来のものは、小物である筆記具等の収容され得る領域が、あらかじめ蓋体を支持している本体側に設けられた枠部によって定められたものとなっている。このため、従来の小物入れは、蓋体が展開した姿勢を採った場合でも、あらかじめ本体側の枠部によって画定された領域内にだけ小物が収容されていた。換言すれば、従来の小物入れは、収容された小物の閲覧性に優れた構成を有していなかった。
【先行技術文献】
【特許文献】
【０００４】
【特許文献１】実用新案登録第３１２３３３７号公報
【発明の概要】
【発明が解決しようとする課題】
【０００５】
本発明は、以上のような事情に着目してなされたもので、少なくとも、収容された小物の閲覧性に優れた小物入れを提供することにある。
【課題を解決するための手段】
【０００６】
すなわち、本発明は次の構成をなしている。
【０００７】
請求項１に記載の発明は、載置状態で底面を構成する底面部及びこの底面部を上方に開放する開口部を有する収納本体と、この収納本体の底面部又はその近傍に接続部を介して接続され前記開口部を覆う閉止姿勢から前記開口部を開放する展開姿勢までの間で回転可能な蓋体とを備え、前記蓋体が、前記展開姿勢において前記底面部の内面に滑らかに連続し前記閉止姿勢において前記底面部に対面する天井面部を備え、この天井面部が外方に膨出する膨出形状をなすものであり、前記蓋体の天井面部の内面が、入り隅を有しない形状をなしている小物入れである。
【０００８】
請求項２に記載の発明は、前記展開姿勢において前記蓋体が立するものであり、且つ、前記蓋体が展開姿勢を採るときに前記収納本体の内面及び前記蓋体の内面とによって略連続したトレー面が構成されている請求項１記載の小物入れである。
【０００９】
請求項３に記載の発明は、前記蓋体が閉止姿勢を採るときに、側面視における全体の上下寸法が、接続部側に向かって漸次短くなる形態をなしている請求項１又は２記載の小物入れである。
【００１０】
請求項４に記載の発明は、前記収納本体の底面部が、略平板形状をなすものである請求項３記載の小物入れである。
【００１１】
請求項５に記載の発明は、前記収納本体が、基端縁に前記接続部を介して前記蓋体が接続されている前記底面部と、この底面部の先端縁に立設された先端面部と、この先端面部の両端に連続させて前記底面部の両側縁にそれぞれ立設された本体側面部とを備えたものであり、前記本体側面部が接続部側に向かって上下寸法が漸次短くなる形状をなしている請求項３又は４記載の小物入れである。
【００１２】
請求項６に記載の発明は、前記底面部における前記先端縁の寸法が、前記底面部における前記基端縁の寸法よりも長く設定されているとともに、前記本体側面部が外方に膨出する形状をなしている請求項５記載の小物入れである。
【００１３】
請求項７に記載の発明は、前記蓋体が、基端縁に前記接続部が設けられ内部に先端縁側に開放された収納ポケットを備えてなる前記天井面部と、この天井面部の両側縁にそれぞれ垂設された蓋体側面部とを備えたものであり、前記閉止姿勢において、前記天井面部の先端縁を前記収納本体の先端面部の上縁にファスナーを介して止着できるように構成されている請求項５又は６記載の小物入れである。
【発明の効果】
【００１４】
以上説明したように本発明によれば、少なくとも、収容された小物の閲覧性に優れた小物入れを提供することができるものとなる。
【図面の簡単な説明】
【００１５】
【図１】本発明の一実施形態を示す斜視図。
【図２】同実施形態における斜視図。
【図３】同実施形態における平面図。
【図４】同実施形態における底面図。
【図５】同実施形態における右側面図。
【図６】同実施形態における斜視図。
【図７】図６における模式的なＸ−Ｘ線端面図。
【図８】閉止姿勢における模式的な端面図。
【図９】同実施形態における一使用態様を示す左側面図。
【発明を実施するための形態】
【００１６】
以下、本発明の一実施形態を、図１〜９を参照して説明する。なお、図７及び図８は、本実施形態における作用説明用の模式的な端面図である。
【００１７】
この実施形態は、本発明を、小物である筆記具Ｐ等を収納し得る小物入れＡに適用したものである。
【００１８】
小物入れＡは、天板等の載置面（図示せず）に載置された載置状態において底面ｓｍを構成する底面部１１、及び、底面部１１を上方に開放する開口部Ｋを有する収納本体１と、収納本体１の底面部１１又はその近傍に接続部Ｈを介して接続され収納本体１における開口部Ｋを覆う閉止姿勢（Ｃ）（図１、図３、図５、図８、及び、図９を参照）から収納本体１における開口部Ｋを開放する展開姿勢（Ｔ）（図２、図６、および、図７を参照）までの間で回転可能な蓋体２と、収納本体１及び蓋体２における左の側部間と右の側部間とをそれぞれつなぐ落下防止用のマチ３とを備えている。
【００１９】
以下、各構成について説明する。
【００２０】
収納本体１は、基端縁ｅ２に接続部Ｈを介して蓋体２が接続されている底面部１１と、底面部１１の先端縁ｅ１に立設された先端面部１２と、先端面部１２の両端に連続させて底面部１１の両側縁にそれぞれ立設された本体側面部１３とを備えている。
【００２１】
底面部１１は、略平板形状をなすものである。図４に示すように、底面部１１における先端縁ｅ１の寸法ｗ１は、底面部１１における基端縁ｅ２の寸法ｗ２よりも長く設定されている。なお、この実施形態では、先端縁ｅ１の寸法ｗ１は、一般的な筆記具Ｐの長手寸法よりも略同等又は若干長い１９ｃｍに設定されている。底面部１１における左右の両側縁ｅ３は外方に凸をなすように緩やかに湾曲した形状をなしている。
【００２２】
先端面部１２は、底面部１１に対して略直立するように設けられた壁状のものである。
【００２３】
本体側面部１３は、左右に対をなして設けられたものである。本体側面部１３は、先端面部１２の左右端縁に連続して形成されている。本体側面部１３は、接続部Ｈ側に向かって上下寸法が漸次短くなる形状をなしている。換言すれば、本体側面部１３は先端面部１２に接続する前端側から後端側に向かって漸次上下寸法が短くなるように形成されている。本体側面部１３は、平面視又は底面視において、外方に向かって凸をなすように膨出する形状をなしている。また、本体側面部１３は、上端部が下端部よりも外側に位置するように傾斜した姿勢を採り得るものとなっている。
【００２４】
先端面部１２の下端部及び本体側面部１３の下端部は、底面部１１に縫着されている。先端面部１２の上縁１２ｅ及び本体側面部１３の上縁１３ｅには、ファスナー４を構成する帯状の第一のファスナー構成要素４１が取り付けられている。なお、ファスナー４の説明については後述する。
【００２５】
蓋体２は、閉止姿勢（Ｃ）と展開姿勢（Ｔ）との間で動作し得るように構成されている。蓋体２は、図２、図６、及び、図７に示すように、展開姿勢（Ｔ）において天板等の載置面に対して立するものとなっている。蓋体２は、基端縁に接続部Ｈが設けられ内側に先端縁側に開放された収納ポケットＦを備えてなる天井面部２１と、天井面部２１の両側縁にそれぞれ垂設された蓋体側面部２２とを備えている。
【００２６】
天井面部２１は、閉止姿勢（Ｃ）において、収納本体１の底面部１１に対面する部位をなしている。天井面部２１は、外方に膨出する膨出形状、より具体的には膨出湾曲形状をなしている。すなわち、天井面部２１は外方に向かって凸をなすように湾曲した形状をなしている。天井面部２１は、展開姿勢（Ｔ）において収納本体１の底面部１１の内面Ｓに滑らかに連続する内面Ｎを有している。すなわち、天井面部２１は、展開姿勢（Ｔ）において内容物である筆記具Ｐの移動を妨げる障害物が無い程度に連続する内面Ｎを有している。換言すれば、天井面部２１は、展開姿勢（Ｔ）において底面部１１の内面Ｓに面的に滑らかに連続するように上側を向く内面Ｎを有している。蓋体２における天井面部２１の内面Ｎは、入り隅を有しない形状をなしている。ここで、本発明でいう「入り隅」とは、略直角もしくはある角度の空間を形成し得る部分のことをいう。
【００２７】
蓋体２の内面Ｎは、例えば、図７に示すように、接続部Ｈの近傍に位置した基端側領域ｎ１と、基端側領域ｎ１に上に位置する中央領域ｎ２と、中央領域ｎ２の上に位置する先端側領域ｎ３を有している。基端側領域ｎ１の面積は、収納本体１における先端面部１２の内面側の面積と略同等の大きさに設定されている。中央領域ｎ２は、収納ポケットＦと合致する位置に設けられている。
【００２８】
収納ポケットＦは、内部に種々の小物を収容し得るものである。収納ポケットＦは、蓋体２の内面側に設けられた網状部材ｆ１を主体に構成されている。網状部材ｆ１は、天井面部２１における内面Ｎの一部である中央領域ｎ２を構成しているものである。収納ポケットＦは、天井面部２１における先端縁２１ｅ側に開口し得るように構成されている。
【００２９】
蓋体側面部２２は、天井面部２１の側縁から垂設されたものである。蓋体側面部２２は、直線状の底辺部ｈ１と、上側に凸をなす山型辺部ｈ２と、底辺部ｈ１の後端と山型辺部ｈ２の後端との間を繋ぐ後辺部ｈ３とを備えたものである。蓋体側面部２２の山型辺部ｈ２は、天井面部２１の側縁に縫着されている。蓋体側面部２２の後辺部ｈ３は、底面部１１における側縁ｅ３に縫着されている。
【００３０】
天井面部２１の先端縁２１ｅ、及び、蓋体側面部２２の先端縁である底辺部ｈ１には、ファスナー４を構成する帯状をなす第二のファスナー構成要素４２が取り付けられている。
【００３１】
以上に述べた収納本体１、及び、蓋体２は、図７、及び、図８に示す模式的な端面図において示すように、外方に表出するポリエステル製の合成繊維素材を主体に構成された外装材ｇｓ及び内装材ｎｓと、外装材ｇｓと内装材ｎｓとの間に配されるポリエチレンにより作られたスポンジ状のクッション部材ｃｎとを主体に構成されている。
【００３２】
接続部Ｈは、収納本体１と蓋体２との間に設けられたものである。接続部Ｈは、収納本体１と蓋体２との相対回転を許容し得るヒンジ機能を発揮し得るものとなっている。この実施形態では、接続部Ｈは、外装材ｇｓと内装材ｎｓとを、クッション部材ｃｎを介在させずに縫着した部位によって構成されている。
【００３３】
マチ３は、収納本体１における本体側面部１３の上端１３ｅと蓋体２における蓋体側面部２２の下端縁たる底辺部ｈ１との間に介設されたものである。マチ３は、対をなしており、収納本体１及び蓋体２に縫着されている。マチ３は、収納本体１の底面部１１上に乗せ置かれた筆記具Ｐ等が外部に出ることを抑制する役割を果たすとともに蓋体２の収納本体１に対する回動範囲を規制して展開姿勢（Ｔ）における蓋体２を起立した所定の姿勢に保持する役割を果たしている。マチ３は、蓋体２が展開姿勢（Ｔ）を採る際に、側面視において、略三角形状をなしている。
【００３４】
ファスナー４は、図示しない複数の歯が並び設けられた帯状をなす第一、第二のファスナー構成要素４１、４２と、第一、第二のファスナー構成要素４１、４２に対するスライド動作により複数の歯の接離を操作するためのスライダー４３とを主体に構成されたものである。第一のファスナー構成要素４１は、収納本体１における先端面部１２の上縁１２ｅ、及び、本体側面部１３の上縁１３ｅに縫着されている。第二のファスナー構成要素４２は、蓋体２における天井面部２１の先端縁２１ｅ、及び、蓋体側面部２２の先端縁である底辺部ｈ１に縫着されている。なお、ファスナー４の構成は、既存のものを適宜適用し得るものであるため図示を簡略化し、詳細な説明を省略する。
【００３５】
本実施形態における小物入れＡは、閉止姿勢（Ｃ）において、蓋体２における天井面部２１の先端縁２１ｅを収納本体１における先端面部１２の上縁１２ｅにファスナー４を介して止着できるように構成されている。図５に示すように、蓋体２が閉止姿勢（Ｃ）を採るときの小物入れＡは、側面視において、ファスナー４における帯状の第一、第二のファスナー構成要素４１、４２が底面部１１に対して斜めに延びるように配されている。
【００３６】
小物入れＡは、蓋体２が展開姿勢（Ｔ）を採るときに収納本体１の内面Ｓ、及び、蓋体２の内面Ｎとによって略連続したトレー面ＴＲが構成されている。つまり、図７に示すように、小物入れＡは、蓋体２が展開姿勢（Ｔ）をなすときに、蓋体２における少なくとも内面Ｎの基端側領域ｎ１が上方を向くものとなる。そして、複数本収容された筆記具Ｐは、展開姿勢（Ｔ）の蓋体２における少なくとも基端側領域ｎ１上に無理なく載置され得るものとなっている。
【００３７】
換言すれば、小物入れＡは、蓋体２が展開姿勢（Ｔ）を採るときに、収納本体１、及び、蓋体２がそれぞれ筆記具Ｐの下に位置し、筆記具Ｐを下から支持し得る領域を具備している。
【００３８】
また、図５及び図９に示すように、蓋体２が閉止姿勢（Ｃ）を採るときに、側面視における全体の上下寸法が、接続部Ｈ側に向かって漸次短くなる形態をなしている。つまり、小物入れＡは、側面視において９０°前後に角張ってなる部位が四か所に出ないような形状をなしている。
【００３９】
以上説明したように、本実施形態に係る小物入れＡは、載置状態で底面ｓｍを構成する底面部１１、及び、底面部１１を上方に開放する開口部Ｋを有する収納本体１と、この収納本体１の底面部１１又はその近傍に接続部Ｈを介して接続され開口部Ｋを覆う閉止姿勢（Ｃ）から開口部Ｋを開放する展開姿勢（Ｔ）までの間で回転可能な蓋体２とを備えている。
【００４０】
そして、蓋体２が、展開姿勢（Ｔ）において底面部１１の内面Ｓに滑らかに連続する内面Ｎを有している。すなわち、蓋体２における底面部１１の内面Ｓに隣接した内面Ｎが、入り隅を有しない形状をなしている。このため、収容された小物である筆記具Ｐが展開姿勢（Ｔ）において滞留することなく各内面Ｓ、Ｎに広がるので、閲覧性に優れた小物入れＡを提供することができるものとなる。つまり、蓋体２が、展開姿勢（Ｔ）において底面部１１の内面Ｓに入り隅が無く面的に滑らかに連続する内面Ｎを有しているため、展開姿勢（Ｔ）において蓋体２における内面Ｎの上に筆記具Ｐが載置され得る構成を採り得るものとなる。
【００４１】
換言すれば、蓋体２は、展開姿勢（Ｔ）において収納本体１の底面部１１に対して垂直よりも広く開き、内面Ｎの少なくとも一部が上方を向き得るように設定されている。このようなものであれば、蓋体２が展開姿勢（Ｔ）を採るときに、筆記具Ｐを下側から支持し得る領域が、閉止姿勢（Ｃ）を採るときよりも拡張されるものとなる。収納本体１、及び、蓋体２の協働によって多くの筆記具Ｐが収容されていても、本実施形態に示す小物入れＡであれば、筆記具Ｐの配置エリアが増大して閲覧性に優れることになり、使用者は必要な筆記具Ｐを迅速に探し出し得るものとなる。
【００４２】
また、本実施形態における小物入れＡであれば、収納本体１と蓋体２との境界部分、すなわち、接続部Ｈ近傍に、略直角状をなす隅角空間が形成されないものとなるため、筆記具Ｐを取りやすいものとなる。
【００４３】
展開姿勢（Ｔ）において蓋体２が立するものであり、且つ、蓋体２が展開姿勢（Ｔ）を採るときに収納本体１の内面Ｓ、及び、蓋体２の内面Ｎとによって略連続したトレー面ＴＲが構成されている。このため、内部に収容された筆記具Ｐが、トレー面ＴＲを構成する領域上に載置され得るものとなり閲覧性に優れたものとなるだけでなく、天板等の載置面上に置いた状態で筆記具Ｐを大量にトレー面ＴＲ上に乗せ置くことができるものとなる。
【００４４】
蓋体２が閉止姿勢（Ｃ）を採るときに、側面視における全体の上下寸法が、接続部Ｈ側に向かって漸次短くなる形態をなしている。このため、全体として、直角状に角張った部分の数が抑制されることになるため、鞄等の収納具内に収納させやすいものとなっている。
【００４５】
小物入れＡが、接続部Ｈに向かって漸次短くなる形態部分を有しているため、図９に示すように、使用者が片手によって小物入れＡと板状体であるノートＮＴとを一括把持しやすいものとなっている。図９の例では、小物入れＡは、接続部Ｈが下端に位置するような姿勢をなしている。そして、ノートＮＴは、小物入れＡの底面部１１に添接し得る姿勢をなすとともに、当該ノートＮＴの下端縁が小物入れＡの接続部Ｈ近傍に位置している。
【００４６】
図９の例では、内部に収容された筆記具Ｐは、その自重により小物入れＡの収容空間内における接続部Ｈ近傍に集中することになる。そうすると、小物入れＡにおける接続部Ｈ近傍の形状は、筆記具Ｐにより裏当てされることにより、安定したものとなる。しかも、筆記具Ｐを収容した小物入れＡの重心は、ノートＮＴ側に近づくものとなるため、使用者は、小物入れＡとノートＮＴとを無理なく一括把持し易いものとなっている。
【００４７】
収納本体１の底面部１１が、略平板形状をなすものであり、蓋体２の底面部１１に対面する天井面部２１が外方に膨出する膨出湾曲形状をなすものである。このため、内部に筆記具Ｐ等を大量に収容しやすい形状を採り得るものとなる。つまり、蓋体２を閉止姿勢（Ｃ）から展開姿勢（Ｔ）に遷移させていくのに追随して、筆記具Ｐの下に位置する蓋体２における内面Ｎの領域が拡張し得る形態を好適に実現し得るものとなっている。しかも、このようなものであれば、外面側に角張った外形部分が形成されにくいものとなり、滑らかなＲ形状の外形を形成しやすいものとなるため、図示しない鞄等の収納具内に収納させやすい形状を採り得るものとなる。
【００４８】
収納本体１が、基端縁ｅ２に接続部Ｈを介して蓋体２が接続されている底面部１１と、この底面部１１の先端縁ｅ１に立設された先端面部１２と、この先端面部１２の両端に連続させて底面部１１の両側縁にそれぞれ立設された本体側面部１３とを備えている。そして、本体側面部１３が接続部Ｈ側に向かって上下寸法が漸次短くなる形状をなしている。このため、筆記具Ｐ等が好適に収容され得る構成をなしたものとなる。
【００４９】
また、本体側面部１３が接続部Ｈ側に向かって上下寸法が漸次短くなる形状をなしているため、蓋体２が閉止姿勢（Ｃ）を採るときに、側面視における小物入れＡ全体の上下寸法が、接続部Ｈ側に向かって漸次短くなる形態を採りやすいものとなっている。
【００５０】
底面部１１における先端縁ｅ１の寸法ｗ１が、底面部１１における基端縁ｅ２の寸法ｗ２よりも長く設定されているとともに、本体側面部１３が外方に膨出する形状をなしている。このため、底面部１１における左右方向中央部に筆記具Ｐを配置するとともに、底面部１１における左右端部すなわち本体側面部１３の近傍領域ｓｋに、筆記具Ｐ以外の他の小物（例えば、消しゴムや付箋など）を好適に収容し得るものとなる。このため、蓋体２を展開姿勢（Ｔ）にしたときに、他の小物が筆記具Ｐの邪魔になりにくいものとなり、筆記具Ｐが展開姿勢（Ｔ）をとる際に底面部１１上において閲覧性の優れた態様になだれやすいものとなる。
【００５１】
蓋体２が、基端縁に接続部Ｈが設けられ内部に先端縁側に開放された収納ポケットＦを備えてなる天井面部２１と、この天井面部２１の両側縁にそれぞれ垂設された蓋体側面部２２とを備えたものである。そして、蓋体２が、閉止姿勢（Ｃ）において、その天井面部２１の先端縁を収納本体１の先端面部１２の上縁にファスナー４を介して止着できるように構成されている。このため、収納ポケットＦに対して使用者がアクセスしやすい構成をなしたものとなる。
【００５２】
つまり、従来品において、蓋体に収納ポケットを設けているものは、当該蓋体の先端側に、収納ポケットに対する手指のアクセスに支障をきたす庇状の部分又は垂下壁状の部分が設けられていた。
【００５３】
しかしながら、本実施形態のものであれば、蓋体２の先端部に手指のアクセスに支障をきたすような障害物を設けていないため、収納ポケットＦの開口に対してスムーズに使用者の手指や小物を及ばすことができるものとなる。
【００５４】
なお、本発明は、以上に詳述した実施形態に限られるものではない。
【００５５】
上述した実施形態では、小物として筆記具を例示しているが、小物は筆記具に限られるものでないのはもちろんのことである。例えば、消しゴムやカッターナイフや鋏や転写具等の文房具類はもちろんのこと、ドライバー等の工具類や化粧用具であってもよい。
【００５６】
収納本体は、載置状態で底面を構成する底面部を有するとともに底面部を上方に開放する開口部を有するものであればよく、上述した実施形態に示されたものに限定されるものではない。例えば、収納本体が、本体側面部を備えていないものであってもよい。
【００５７】
蓋体は、収納本体の底面部又はその近傍に接続部を介して接続され、閉止姿勢と展開姿勢とを採り得るものであればどのような形態のものであってもよい。例えば、蓋体は、蓋体側面部を備えたものではなく、底面部に対面し得るシート状の本体部分のみを備えたものであってもよい。
【００５８】
その他、各部の具体的構成についても上記実施形態に限られるものではなく、本発明の趣旨を逸脱しない範囲で種々変形が可能である。
【符号の説明】
【００５９】
１…収納本体
２…蓋体
１１…底面部
Ａ…小物入れ
Ｋ…開口部
Ｎ…（蓋体の）内面
（Ｃ）…閉止姿勢
（Ｔ）…展開姿勢
【図１】
2018148970.tif 000003
【図２】
2018148970.tif 000004
【図３】
2018148970.tif 000005
【図４】
2018148970.tif 000006
【図５】
2018148970.tif 000007
【図６】
2018148970.tif 000008
【図７】
2018148970.tif 000009
【図８】
2018148970.tif 000010
【図９】
2018148970.tif 000011